(57)【要約】【課題】複数段のステージを上下方向に限られたスペースにコンパクトに配置しつつ遊技球の多様な転動動作を実現できる弾球遊技機を提供する。【解決手段】前面側に遊技領域１２が設けられた遊技盤１１と、遊技領域１２に向けて遊技球を発射する発射手段８と、遊技領域１２の略中央に配置され且つ画像表示手段２１用の表示窓２２を備えたセンターケース１５と、センターケース１５の下部側に配置され且つ遊技球を左右方向に自由に転動させつつ所定の落下位置に誘導する転動演出手段２４とを備え、転動演出手段２４は、下ステージ３６と、下ステージ３６の前側上方に配置される前ステージ３４と、前ステージ３４側に設けられ且つ下ステージ３６側に遊技球を流下させる流下案内手段６７とを備えたものである。【選択図】図１４
2007209588.tif 000002
【特許請求の範囲】
【請求項１】
前面側に遊技領域（１２）が設けられた遊技盤（１１）と、前記遊技領域（１２）に向けて遊技球を発射する発射手段（８）と、前記遊技領域（１２）の略中央に配置され且つ画像表示手段（２１）用の表示窓（２２）を備えたセンターケース（１５）と、該センターケース（１５）の下部側に配置され且つ遊技球を左右方向に自由に転動させつつ所定の落下位置に誘導する転動演出手段（２４）とを備えた弾球遊技機において、前記転動演出手段（２４）は、下ステージ（３６）と、該下ステージ（３６）の前側上方に配置される前ステージ（３４）と、該前ステージ（３４）側に設けられ且つ前記下ステージ（３６）側に遊技球を流下させる流下案内手段（６７）とを備えたことを特徴とする弾球遊技機。
【請求項２】
前記流下案内手段（６７）は、前記前ステージ（３４）上に下向きに形成された落下口（６６）の前縁側から後方に向けて片持ち状に突設され且つその上縁側が後下がりの傾斜状に形成されていることを特徴とする請求項１に記載の弾球遊技機。
【請求項３】
前記前ステージ（３４）の後側上方に、所定の球流入口（２５ａ）を介して進入した遊技球を前記前ステージ（３４）側に案内する上ステージ（３２）を備えたことを特徴とする請求項１又は２に記載の弾球遊技機。
【請求項４】
前記上ステージ（３２）は山部と谷部とを有する緩やかな波形状に形成されており、前記流下案内手段（６７）は、前記谷部の前側に略対応する位置に設けられていることを特徴とする請求項３に記載の弾球遊技機。
【請求項５】
前記前ステージ（３４）の前側を規制する前縁規制板（６１）は、少なくとも前記落下口（６６）においてその上下方向幅が遊技球の直径よりも小さく形成されており、前記流下案内手段（６７）は前記前縁規制板（６１）の上下に突出しないように形成されていることを特徴とする請求項１〜４の何れかに記載の弾球遊技機。
【請求項６】
前記上ステージ（３２）と前記下ステージ（３６）とは遊技盤（１１）の前面よりも後側に配置され、前記前ステージ（３４）は遊技盤（１１）の前面よりも前側に配置されていることを特徴とする請求項１〜５の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技領域の略中央にセンターケースを配置し、そのセンターケースに演出用の液晶ディスプレイを装着したものが多い。
【０００３】
ところで、この種の弾球遊技機に用いられる液晶ディスプレイは大画面化の一途を辿っているが、液晶ディスプレイの前側には遊技釘等を配置できないため、遊技領域内であっても液晶ディスプレイの前側の範囲については遊技球の可動領域として用いることは難しい。即ち、パチンコ機等の弾球遊技機においては、液晶ディスプレイの大画面化に伴い、遊技領域に占める遊技球の可動領域の割合が徐々に小さくなり、遊技球の動きが画一化されて意外性に乏しくなっているのが実情である。
【０００４】
そこで、そのような限られた可動領域の中で少しでも遊技球の動きを多様化させるべく、例えばセンターケースの下部側に、遊技球をステージ上で左右方向に自由に転動させつつ、電動チューリップ等の上側に配置された所定の落下位置に誘導する転動演出手段を配置した弾球遊技機が主流となってきている（例えば特許文献１）。
【特許文献１】特開２００５−３３４５６８号公報
【発明の開示】
【発明が解決しようとする課題】
【０００５】
このような転動演出手段においても、演出効果をより高めるためには、例えば複数のステージを前後方向、上下方向に段差状に配置する等により、遊技球の滞留時間を長くすると共にその滞留時間の中でより多様な転動動作を実現していく必要がある。
【０００６】
しかしながら、前述のような液晶ディスプレイの大画面化によってセンターケースの下側の遊技領域も徐々に浸食されており、しかもそのスペースには電動チューリップやアタッカー等の入賞手段を配置する必要があるため、複数段のステージを設けるにあたっては特に上下方向寸法について大きな制約を受けることになる。
【０００７】
本発明は、このような従来の問題点に鑑み、複数段のステージを上下方向に限られたスペースにコンパクトに配置しつつ遊技球の多様な転動動作を実現できる弾球遊技機を提供することを目的とする。
【課題を解決するための手段】
【０００８】
本発明は、前面側に遊技領域１２が設けられた遊技盤１１と、前記遊技領域１２に向けて遊技球を発射する発射手段８と、前記遊技領域１２の略中央に配置され且つ画像表示手段２１用の表示窓２２を備えたセンターケース１５と、該センターケース１５の下部側に配置され且つ遊技球を左右方向に自由に転動させつつ所定の落下位置に誘導する転動演出手段２４とを備えた弾球遊技機において、前記転動演出手段２４は、下ステージ３６と、該下ステージ３６の前側上方に配置される前ステージ３４と、該前ステージ３４側に設けられ且つ前記下ステージ３６側に遊技球を流下させる流下案内手段６７とを備えたものである。
【発明の効果】
【０００９】
本発明によれば、前ステージ３４と下ステージ３６とを前後にずらして配置しているため、単に上下二段に配置する場合と比べて上下方向寸法を小さくでき、複数のステージを上下方向にコンパクトに配置しつつ遊技球の多様な転動動作を実現できる。
【発明を実施するための最良の形態】
【００１０】
以下、本発明の実施形態を図面に基づいて詳述する。図１〜図１４は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、共に前枠３に開閉自在に枢支されている。
【００１１】
前面板５の前側には発射用の遊技球を貯留する上皿６が配置され、前面板５の下側で前枠３の前側には余剰球等を貯留する下皿７が配置されている。下皿７の一側、例えば向かって右側には、遊技球を発射する発射手段８を操作するための発射ハンドル８ａが、前枠３の前側に突出状に設けられている。
【００１２】
１１は遊技盤で、ガラス扉４の後側に対応するように、前枠３の裏側に着脱自在に装着されている。遊技盤１１の前面側には、図２に示すように、発射手段８により発射された遊技球を遊技領域１２の上部側に案内する外レール１３と、遊技領域１２の周囲を規定する内レール１４とが装着されると共に、その遊技領域１２内に、センターケース１５、普通図柄始動手段１６、特別図柄始動手段１７、大入賞手段１８、普通入賞手段１９等の各種遊技部品が装着されている。
【００１３】
センターケース１５は、遊技領域１２の略中央に配置されており、図２等に示すように、例えば遊技盤１１の裏側に装着された液晶ディスプレイ（画像表示手段）２１用の表示窓２２を構成する表示枠体２３と、この表示枠体２３の下部側に配置される転動演出手段２４と、表示枠体２３に設けられ且つ転動演出手段２４に遊技球を流入させる球流入手段２５等を備えている。
【００１４】
表示枠体２３は、図２〜図６等に示すように、液晶ディスプレイ２１を略取り囲む枠状に形成されると共に、その前側には鍔状の装着化粧板２６が一体に形成されており、遊技盤１１に形成された装着孔１１ａに対して前側から嵌め込まれ、装着化粧板２６を遊技盤１１の前面側に密着させた状態でネジ等により着脱自在に固定されている。
【００１５】
表示枠体２３の下部側は、その左右方向中央が最も低い略Ｖ型に形成されており、その最下部近傍の装着化粧板２６上には、遊技球が１個通過可能な大きさの球排出孔２７が形成されている。
【００１６】
転動演出手段２４は、遊技球を左右方向等に自由に転動させつつ所定の落下位置に誘導するもので、図３〜図５等に示すように、表示枠体２３の下部側に沿ってその内側（上側）に後側から着脱自在に装着されている。
【００１７】
転動演出手段２４は、図７〜図１４に示すように、球流入手段２５を介して流入した遊技球を左右方向に自由に転動させた後、１又は複数、例えば左右方向略中央の上第１誘導部３１ａ、左右一対の上第２誘導部３１ｂ，３１ｂの３つの誘導部の何れかを介して前側に誘導する上ステージ３２と、この上ステージ３２により前側に案内された遊技球を１又は複数、例えば前第１誘導部３３ａ、左右一対の前第２誘導部３３ｂ，３３ｂ、左右一対の前第３誘導部３３ｃ，３３ｃの５つの誘導部の何れかを介して後側に誘導する前ステージ３４と、この前ステージ３４の各誘導部を介して後側に案内された遊技球を１又は複数、例えば下第１誘導部３５ａ、左右一対の下第２誘導部３５ｂ，３５ｂの３つの誘導部の何れかを介して前側に誘導する下ステージ３６とを備え、第１〜第３部材３７〜３９（図１３）により構成されている。
【００１８】
第１部材３７は、例えば透明な合成樹脂製で、図１３等に示すように、遊技盤１１と略平行な背面板４１を備え、この背面板４１の前側に、左右方向に長い細長板状の下ステージ３６と、この下ステージ３６の左右両端側から上向きに立設された側壁板４２と、この側壁板４２の上端側から左右方向外向きに延設された延設板４３と、下ステージ３６の上側に配置された左右一対の中間案内板４４，４４とが前向き所定幅で突設され、更に側壁板４２の外側で且つ延設板４３の下側の空間の少なくとも一部を前側から覆う化粧板４５が一体に設けられている。
【００１９】
背面板４１は、下ステージ３６の上側で左右の側壁板４２，４２の間に設けられ且つ下ステージ３６の後側を規制する下部背面板４６と、この下部背面板４６の上側に沿ってその左右方向に突出する細長状に形成され且つ上ステージ３２の後側を規制する上部背面板４７とを一体に備えており、延設板４３は上部背面板４７の左右方向への突出部分の下縁側に沿って配置されている。
【００２０】
下ステージ３６は、左右方向略中央が山部、その左右両側が谷部となった緩やかな略Ｗ型の波状曲面に形成されており、その山部にあたる中央位置に下第１誘導部３５ａが、谷部にあたる左右位置に下第２誘導部３５ｂ，３５ｂが夫々設けられている。
【００２１】
下第１誘導部３５ａは、例えば遊技球１個分に略相当する幅及び深さの下向き凹入状に形成され、その前端側が装着化粧板２６上の球排出孔２７に後側から連通しており、その底部が前下がりの緩やかな傾斜状に形成されると共に、その後端側に、遊技球を前側に案内する案内リブ４８が一体に設けられている。
【００２２】
下第２誘導部３５ｂは、前下がりの下向き凹入状で、その深さは遊技球の直径よりも小さく形成されている。
【００２３】
なお、表示枠体２３側の装着化粧板２６は、図３等に示すように、下ステージ３６の前側に対応する部分が、下ステージ３６の前側を規制する下ステージ前縁規制板４９を構成している。この下ステージ前縁規制板４９は、下ステージ３６の上側に若干張り出すように形成されており、その上縁側には、下第２誘導部３５ｂ，３５ｂに対応して切欠部５０，５０が形成されている。
【００２４】
中間案内板４４，４４は、下ステージ３６の上側で且つ下第１誘導部３５ａに対して左右方向外側の位置、例えば下第２誘導部３５ｂ，３５ｂの上側に対応する位置に、左右方向外側が内側よりも低い傾斜状に形成されている。
【００２５】
第２部材３８は、例えば透明な合成樹脂製で、図１３等に示すように、前後方向所定幅で且つ左右方向に長い細長板状の上ステージ３２と、この上ステージ３２の左右方向略中央に対応して前向きに突設された入賞口形成板５１と、上ステージ３２の前縁側から下向きに突設された左右一対の支持板５２と、この支持板５２の下端側から前向きに延設された傾斜案内板５３とを一体に備え、上ステージ３２の後縁側が第１部材３７側の上部背面板４７の前面側に沿うように第１部材３７の前側に着脱自在に装着されている。
【００２６】
上ステージ３２は、左右方向略中央が山部、その左右両側が谷部となった緩やかな略Ｗ型の波状曲面に形成されており、その山部にあたる中央位置、即ち入賞口形成板５１の後側に上第１誘導部３１ａが、谷部にあたる左右位置に上第２誘導部３１ｂ，３１ｂが設けられている。これら上第１誘導部３１ａ及び上第２誘導部３１ｂ，３１ｂは、前下がりの下向き凹入状で、その深さは遊技球の直径よりも小さく形成されている。
【００２７】
上ステージ３２の端部又はその近傍には、球流入手段２５の下流側に対応して、球流入手段２５側からの遊技球を左右方向中央側に案内する傾斜案内部３２ａが設けられている。
【００２８】
入賞口形成板５１は、前ステージ３４側の前第１誘導部３３ａの上流端側にステージ入賞口５１ａを形成するもので、上第１誘導部３１ａの左右両側に対応して一対設けられており、それらの間がステージ入賞口５１ａとなっている。上ステージ３２上を左右方向に転動した遊技球は、前第１誘導部３３ａによって前側に誘導されたものの一部がこのステージ入賞口５１ａに入賞する。
【００２９】
また、これら一対の入賞口形成板５１，５１は、その上面側が左右方向外側に向けて傾斜しており、例えば前第１誘導部３３ａによりステージ入賞口５１ａ側に誘導されたにも拘わらずステージ入賞口５１ａの左右に外れた遊技球を外向きに誘導するようになっている。
【００３０】
傾斜案内板５３は、例えば上ステージ３２側の上第２誘導部３１ｂにより前ステージ３４側に誘導された遊技球を前第２誘導部３３ｃ側に案内するもので、前ステージ３４側の前第２誘導部３３ｂと前第３誘導部３３ｃとの間に左右方向外向き、即ち前第３誘導部３３ｃ側が低い傾斜状に配置されている。
【００３１】
第３部材３９は、例えば不透明な合成樹脂製で、図１３等に示すように、前ステージ３４と、上ステージ３２の前側を規制する上ステージ前縁規制板５４とを一体に備え、上ステージ前縁規制板５４の背面側が第２部材３８側の上ステージ３２の前縁側に沿うように第１部材３７及び第２部材３８の前側に着脱自在に装着されている。
【００３２】
前ステージ３４は、前第１誘導部３３ａと、この前第１誘導部３３ａの左右両側に配置され且つ前第２誘導部３３ｂ、前第３誘導部３３ｃを備えたサイドステージ部５５とを備えている。
【００３３】
前第１誘導部３３ａは、上ステージ３２側の上第１誘導部３１ａ及びその前側の入賞口形成板５１の下側に沿って前後方向に配置された断面略Ｕ字型の案内通路部５６と、この案内通路部５６及びステージ入賞口５１ａの前端側を閉鎖する前端規制板５７とを備え、図５、図８、図１０等に示すように、ステージ入賞口５１ａに入賞した遊技球を検出する検出スイッチ５８が、案内通路部５６の上部側に沿って前後方向に装着されている。
【００３４】
案内通路部５６には、図５に示すように、その後端側で且つ下第１誘導部３５ａの上側にあたる位置に落下口５９が下向き開口状に形成され、前端側には遊技球を後側に案内する案内リブ６０が一体に設けられており、ステージ入賞口５１ａに入賞した遊技球は検出スイッチ５８により検出された後、案内通路部５６内を後ろ向きに誘導され、落下口５９を介して下ステージ３６側の下第１誘導部３５ａ内又はその近傍に落下するようになっている。
【００３５】
サイドステージ部５５は、上ステージ３２の前縁側に沿って前第１誘導部３３ａの左右両側に横長状に設けられ、前端規制板５７から左右両側に延設された前縁規制板６１と、この前縁規制板６１の左右両端側から後ろ向きに延設された側板６２と、前縁規制板６１の下縁側から後ろ向き略水平に延設された底板６３（図１０等）とで略トレー状に形成されている。
【００３６】
前縁規制板６１は、その上下方向幅が遊技球の直径よりも小さく形成されている。また、側板６２は、上ステージ３２の下側近傍を通過して例えば第１部材３７側の背面板４１まで達しており、また底板６３は、その後縁側が平面視で上ステージ３２の前縁側と略一致する位置まで延設されている。
【００３７】
更に、サイドステージ部５５には、前第１誘導部３３ａの左右両側又はその近傍に前第２誘導部３３ｂが、左右方向外側の端部近傍に前第３誘導部３３ｃが配置され、それら前第２誘導部３３ｂと前第３誘導部３３ｃとの間に、第２部材３８側の傾斜案内板５３が配置されている。
【００３８】
前第２誘導部３３ｂは、例えばステージ入賞口５１ａから左右両側に外れた遊技球を下ステージ３６側に誘導するもので、前第１誘導部３３ａと傾斜案内板５３との間に上向き開口状に形成された球受け部６４と、その球受け部６４の前端側に設けられ且つ球受け部６４内に落下した遊技球を底板６３に沿って後側に案内する案内リブ６５とを備え、その後端側が中間案内板４４の上流端側に接続されている。
【００３９】
前第３誘導部３３ｃは、上ステージ３２側から前ステージ３４側に流入して例えば傾斜案内板５３により外向きに案内された遊技球を下ステージ３６側に誘導するもので、傾斜案内板５３と側板６２との間に下向きに形成された落下口６６と、この落下口６６の前縁側、即ち前縁規制板６１から後方に向けて片持ち状に突設され且つ落下口６６内に落下した遊技球を後側に案内する突設案内リブ（流下案内手段）６７とを備えている。
【００４０】
前ステージ３４の底板６３は、少なくとも傾斜案内板５３と側板６２との間で且つ前縁規制板６１よりも後側の領域が切り欠かれており、この切欠部により落下口６６が形成されている。
【００４１】
突設案内リブ６７は、例えば鉛直方向且つ前後方向の板状で、傾斜案内板５３と側板６２との間の略中央に、前縁規制板６１の上下方向幅の範囲で突設されており、図１２に示すようにその上縁側が後下がりの傾斜部６７ａとなっている。なお、突設案内リブ６７は、その傾斜部６７ａの延長線が例えば下ステージ３６上を通過する角度に形成されており、落下口６６に落下した遊技球はこの傾斜部６７ａに沿って後側下方に誘導されて下ステージ３６上に落下するようになっている。
【００４２】
上ステージ前縁規制板５４は、遊技盤１１に略平行な板状で、上ステージ３２の前縁側に沿って左右方向の細長状に形成され、その上縁側が上ステージ３２の上側に若干張り出すように配置されており、左右方向の中間部近傍とその左右両側において前ステージ３４側と連結されている。
【００４３】
上ステージ前縁規制板５４の上縁側には、上ステージ３２側の上第１誘導部３１ａ、上第２誘導部３１ｂ，３１ｂに対応して夫々切欠部７１，７２，７２が形成され、また上ステージ前縁規制板５４の下縁側には、前ステージ３４側の前第２誘導部３３ｂ，３３ｂに対応して切欠部７３が形成されている。
【００４４】
また、上ステージ前縁規制板５４には、例えば上ステージ３２における球流入手段２５側とは反対側の端部を規制する側端規制部７４と、その球流入手段２５側とは反対側の端部から中央側の所定範囲に配置され且つ上ステージ前縁規制板５４の上縁側から前側に延設されたテーブル部７５とが一体に形成されている。
【００４５】
更に、上ステージ前縁規制板５４には、その下部側を第１部材３７側に固定するための支持部７６が一体に形成されている。この支持部７６は、例えば前ステージ３４の外側近傍に配置されており、上部背面板４７の前面側に沿って上下方向に配置され且つその下端側が下ステージ３６上に支持される支持脚部７６ａと、この支持脚部７６ａの上端側と上ステージ前縁規制板５４の下縁側とを例えば後下がりの傾斜状に連結する支持連結部７６ｂとで構成されている。
【００４６】
以上のように第１〜第３部材３７〜３９を組み合わせることにより構成される転動演出手段２４は、下ステージ３６の前縁側が表示枠体２３側の装着化粧板２６の背面側に当接するように表示枠体２３に対して後側から装着される。ここで、上ステージ３２と下ステージ３６とは上下に配置され、前ステージ３４はそれら上ステージ３２と下ステージ３６との前側で且つ上下方向中間に配置されているから、上ステージ３２と下ステージ３６とは遊技盤１１の前面よりも後側に配置され且つ遊技盤１１の厚み内に収まっており、前ステージ３４は遊技盤１１の前面よりも前側に配置されている。
【００４７】
球流入手段２５は、例えば表示枠体２３の少なくとも左右一方側、例えば左側に沿って略上下方向に配置され、その上流端側の球流入口２５ａがセンターケース１５の外側に向けて例えば斜め上向きに開口し、その下流端側の球流出口２５ｂが上ステージ３２側の傾斜案内部３２ａ上に向けて下向きに開口しており、球流入口２５ａに入球した遊技球を上ステージ３２内に誘導するようになっている。
【００４８】
続いて、以上のような構成を有する転動演出手段２４による遊技球の誘導動作について説明する。
【００４９】
発射手段８により発射された遊技球は、外レール１３の内側に沿って遊技領域１２の上部側まで案内され、例えばセンターケース１５の側方に流下する。センターケース１５の側方を流下中の遊技球が球流入口２５ａに入球すると、その遊技球は球流入手段２５を介して球流出口２５ｂから傾斜案内部３２ａ上に落下し、その斜面に沿って上ステージ３２の中央側に向けて流下して上ステージ３２上を左右方向に転動する。
【００５０】
上ステージ３２上を転動する遊技球が例えば中央の上第１誘導部３１ａ上にきたときにその勢いが衰えると、その遊技球は上第１誘導部３１ａによって前側に誘導され、図５に二点差線で示すように例えばステージ入賞口５１ａに入賞する。ステージ入賞口５１ａに入賞した遊技球は、検出スイッチ５８により検出された後、前第１誘導部３３ａの案内通路部５６内を後ろ向きに案内され、落下口５９を介して下ステージ３６側の下第１誘導部３５ａ内又はその近傍に落下する。
【００５１】
下第１誘導部３５ａ内に落下した遊技球は、案内リブ４８により前側に案内され、その前端側から落下して、高い確率で特別図柄始動手段１７に入賞し、下第１誘導部３５ａ内ではなくその近傍に落下した遊技球は、例えば下第２誘導部３５ｂにより前側に誘導され、特別図柄始動手段１７の側方に落下する。
【００５２】
一方、上第１誘導部３１ａにより前側に案内されたにも拘わらずステージ入賞口５１ａの左右に外れた遊技球は、入賞口形成板５１により左右に誘導され、図１１に二点差線で示すように例えば前ステージ３４側の前第２誘導部３３ｂ内に落下して後方に誘導され、図１０に示すように中間案内板４４を介して下ステージ３６上に落下する。そして、その下ステージ３６上を左右に転動した後、下第１誘導部３５ａを介して特別図柄始動手段１７の上側に落下するか、又は下第２誘導部３５ｂを介して特別図柄始動手段１７の側方に落下する。
【００５３】
また、例えば上ステージ３２上で左右の上第２誘導部３１ｂにより前側に誘導された遊技球は、前ステージ３４上で例えば傾斜案内板５３により外側に案内され、図１２に二点差線で示すように前第３誘導部３３ｃの落下口６６に落下する。そして、その遊技球は、突設案内リブ６７の傾斜部６７ａに沿って後斜め下向きに案内されて下ステージ３６上に落下し、その下ステージ３６上を左右に転動した後、図１０に示すように下第１誘導部３５ａを介して特別図柄始動手段１７の上側に落下するか、又は下第２誘導部３５ｂを介して特別図柄始動手段１７の側方に落下する。
【００５４】
以上説明したように、本実施形態のパチンコ機では、上ステージ３２と下ステージ３６とが上下二段に配置され、更にその前側でそれら上ステージ３２と下ステージ３６の間の高さ位置に上ステージ３２側からの遊技球を中継して下ステージ３６側に案内する前ステージ３４を設けているため、遊技球を長く対流させつつその滞留時間の中で多様な転動動作を実現できる。
【００５５】
また、前ステージ３４と下ステージ３６、前ステージ３４と上ステージ３２を夫々前後にずらして配置しているため、単に上下二段、三段に配置する場合と比べて上下方向寸法をコンパクト化できる利点がある。
【００５６】
また、前ステージ３４側に設けられ且つ下ステージ３６側に遊技球を流下させる流下案内手段が、前ステージ３４上に下向きに形成された落下口６６の前縁側から後方に向けて片持ち状に突設され且つその上縁側が後下がりの傾斜状に形成された突設案内リブ６７により構成されているため、下ステージ３６上にはその流下案内手段によって死角となる部分はほとんどなく、遊技者は転動演出手段２４上での遊技球の転動動作の殆どを明瞭に視認できる。
【００５７】
しかも、このような突設案内リブ６７であれば上ステージ３２と前ステージ３４との高低差が小さくてもその上ステージ３２側と干渉することなく遊技給を後方に誘導できるため、例えば上ステージ３２側の谷部の前側に対応する位置であってもその前側に流下案内部を配置でき、また複数段のステージを上下方向に限られたスペースにコンパクトに配置できる。
【００５８】
以上、本発明をパチンコ機に適用した例を示したが、アレンジボール機等の各種弾球遊技機において同様に実施可能であることは言うまでもない。
【図面の簡単な説明】
【００５９】
【図１】本発明の一実施形態を示すパチンコ機の正面図である。
【図２】遊技盤の正面図である。
【図３】転動演出手段近傍の拡大正面図である。
【図４】図３におけるＡ−Ａ断面図である。
【図５】図３におけるＢ−Ｂ断面図である。
【図６】表示枠体の正面図である。
【図７】転動演出手段の正面図である。
【図８】転動演出手段の正面断面図である。
【図９】転動演出手段の要部拡大平面図である。
【図１０】転動演出手段の要部拡大正面断面図である。
【図１１】図７におけるＣ−Ｃ断面図である。
【図１２】図７におけるＤ−Ｄ断面図である。
【図１３】転動演出手段の分解斜視図である。
【図１４】転動演出手段の要部拡大斜視図である。
【符号の説明】
【００６０】
８    発射手段
１１    遊技盤
１２    遊技領域
１５    センターケース
２５ａ  球流入口
２１    液晶ディスプレイ（画像表示手段）
２２    表示窓
２４    転動演出手段
３２    上ステージ
３４    前ステージ
３６    下ステージ
６１    前縁規制板
６６    落下口
６７    突設案内リブ（流下案内手段）
【図１】
2007209588.tif 000003
【図２】
2007209588.tif 000004
【図３】
2007209588.tif 000005
【図４】
2007209588.tif 000006
【図５】
2007209588.tif 000007
【図６】
2007209588.tif 000008
【図７】
2007209588.tif 000009
【図８】
2007209588.tif 000010
【図９】
2007209588.tif 000011
【図１０】
2007209588.tif 000012
【図１１】
2007209588.tif 000013
【図１２】
2007209588.tif 000014
【図１３】
2007209588.tif 000015
【図１４】
2007209588.tif 000016